(57)【特許請求の範囲】
【請求項１】
第１ディスプレイと第２ディスプレイとを有し、前記第１ディスプレイと前記第２ディスプレイとで形成され且つ長辺が前記第１ディスプレイの一短辺と前記第２ディスプレイの一短辺とからなる結合ディスプレイで表示を行う第１形態と、前記第１ディスプレイを備える筐体に前記第２ディスプレイを備える筐体を重ねて前記第２ディスプレイのみで表示を行う第２形態とに変更自在である携帯端末であって、
形態が前記第１形態であるか前記第２形態であるかを検知する第１検知部と、
水平面における前記第２ディスプレイの一辺の傾きを、０度から９０度までの範囲で、検知する第２検知部と、
前記第１検知部で第１形態であることが検知されると、前記第２検知部で検知された傾きにより示される角度に９０度を加算することにより、前記傾きの補正を行う補正部と、
検知又は補正された前記傾きに基づいて、前記結合ディスプレイによる表示及び前記第２ディスプレイのみによる表示のいずれであるかを決定し、検知又は補正された前記傾きに基づいて、縦長表示及び横長表示のいずれの表示方法を用いるべきかを決定し、決定した前記ディスプレイにおいて、決定した前記表示方法により、検知又は補正された前記傾きに基づいて、画像の表示角度を修正して、当該画像の表示を行う表示処理部と
を備えることを特徴とする携帯端末。
【請求項２】
前記第２検知部は、当該携帯端末の傾きを示す方向ベクトルについての第２ディスプレイの主表面での２次元ベクトルの向きを前記傾きとして検知し、
前記補正部は、前記第２検知部で検知された２次元ベクトルの向きを９０度だけ回転させ、
前記表示処理部は、検知又は補正された前記２次元ベクトルがなす角度が９０度を超える場合には前記補正部で補正された２次元ベクトルの向きに基づいた前記結合ディスプレイでの画像の表示、及び、検知又は補正された前記２次元ベクトルがなす角度が９０度を超えない場合には前記第２検知部で検知された２次元ベクトルの向きに基づいた前記第２ディスプレイでの画像の表示を行う
ことを特徴とする請求項１に記載の携帯端末。
【請求項３】
前記表示処理部は、
検知又は補正された前記２次元ベクトルがなす角度が所定範囲内である場合には、表示すべき画像の向きを回転させ、検知又は補正された前記２次元ベクトルがなす角度が９０度を超えるとき、前記第２ディスプレイのみで回転後の前記画像を表示し、検知又は補正された前記２次元ベクトルがなす角度が９０度を超えないとき、前記第２ディスプレイのみで回転後の前記画像を表示する
ことを特徴とする請求項２に記載の携帯端末。
【請求項４】
前記所定値の範囲内とは、検知又は補正された前記２次元ベクトルがなす角度が６０度以上１２０度以下である
ことを特徴とする請求項３に記載の携帯端末。
【請求項５】
前記表示処理部は、
前記画像を回転させて表示させる際に、当該画像の長辺と短辺との比を維持したまま表示させる
ことを特徴とする請求項４に記載の携帯端末。
【請求項６】
前記第２検知部は、加速度センサーであり、
前記方向ベクトルは、当該携帯端末の鉛直方向を示すものであり、
前記２次元ベクトルは、前記方向ベクトルを前記第２ディスプレイの主表面上に射影したものである
ことを特徴とする請求項２に記載の携帯端末。
【請求項７】
前記第２検知部は、ジャイロセンサーであり、
当該携帯端末の角速度を検知し、検知した角速度から特定される第２ディスプレイの長辺の方向又は短辺の方向を示す方向ベクトルを前記２次元ベクトルとする
ことを特徴とする請求項２に記載の携帯端末。
【請求項８】
第１ディスプレイと第２ディスプレイとを有し、前記第１ディスプレイと前記第２ディスプレイとで形成され且つ長辺が前記第１ディスプレイの一短辺と前記第２ディスプレイの一短辺とからなる結合ディスプレイで表示を行う第１形態と、前記第１ディスプレイを備える筐体に前記第２ディスプレイを備える筐体を重ねて前記第２ディスプレイのみで表示を行う第２形態とに変更自在であり、第１検知部、第２検知部、補正部及び表示処理部を携帯端末で用いられる表示方法であって、
前記第１検知部が、形態が前記第１形態であるか前記第２形態であるかを検知する第１検知ステップと、
前記第２検知部が、水平面における前記第２ディスプレイの一辺の傾き、０度から９０度までの範囲で、検知する第２検知ステップと、
前記補正部が、前記第１検知部で第１形態であることが検知されると、前記第２検知部で検知された傾きにより示される角度に９０度を加算することにより、前記傾きの補正を行う補正ステップと、
検知又は補正された前記傾きに基づいて、前記結合ディスプレイによる表示及び前記第２ディスプレイのみによる表示のいずれであるかを決定し、検知又は補正された前記傾きに基づいて、縦長表示及び横長表示のいずれの表示方法を用いるべきかを決定し、決定した前記ディスプレイにおいて、決定した前記表示方法により、検知又は補正された前記傾きに基づいて、画像の表示角度を修正して、画像の表示を行う表示処理ステップと
を含むことを特徴とする表示方法。
【発明の詳細な説明】
【技術分野】
【０００１】
本発明は、携帯端末、特に２つのディスプレイを備え、１つのディスプレイで表示する形態と、当該２つのディスプレイを１つのディスプレイとして表示する形態とに変形自在な携帯端末に関する。
【背景技術】
【０００２】
従来、２つのディスプレイを並べて１つのディスプレイとして用いることで、携帯端末におけるディスプレイの大型化を図ることができる技術が知られている（特許文献１）。
また、画像等の表示方法として、ディスプレイの向き、つまりディスプレイの長辺が縦となるか横となるかに応じて、表示すべき画面の向きを変更する技術も知られている。この技術では、ディスプレイの長辺若しくは短辺が縦となっているか横となっているかを検知することで、ディスプレイの向きを知ることができるので、その向きに応じて表示すべき画像について縦長表示と横長表示とを切り替えることができる。
【先行技術文献】
【特許文献】
【０００３】
【特許文献１】特開２００２−２５８８０６号公報
【発明の概要】
【発明が解決しようとする課題】
【０００４】
ところで、近年、携帯端末の小型化が進んでおり、２つのディスプレイを並べて１つのディスプレイ（以下、結合ディスプレイ）として用いる携帯端末においても小型化の必要性が迫られている。小型化の一案として、携帯端末を第１ディスプレイを備えた第１筐体と第２ディスプレイを備えた筐体とから構成し、第１ディスプレイ及び第２ディスプレイを並べて表示する第１形態と、第２ディスプレイのみで表示する第２形態とに変形自在することが考えられる。この場合、第１ディスプレイと第２ディスプレイの並びによっては第２ディスプレイの縦横の関係と、結合ディスプレイの縦横の関係が逆になることがある。例えば、第１ディスプレイの長辺と第２ディスプレイの長辺を合わせて結合ディスプレイを構成する場合には、第１ディスプレイ及び第２ディスプレイそれぞれの一長辺が結合ディスプレイの短辺となり、第１ディスプレイの一短辺と第２ディスプレイ一短辺の和が結合ディスプレイの長辺となる。
【０００５】
そうすると、第２ディスプレイのみで表示を行う場合には第２ディスプレイの長辺が縦であるか横であるかを検知することで、縦長表示と横長表示を切り替えることができるが、結合ディスプレイにおいて上記のように第２ディスプレイとの縦横の関係が逆となる場合には第２ディスプレイの長辺が縦であるか横であるかの検知結果そのものは利用できないという問題がある。
【０００６】
そこで、本発明は、２つのディスプレイを１つの大きなディスプレイとして用いる場合と１つのディスプレイのみを用いる場合とにおいて、検知された１つのディスプレイの向きから、大きなディスプレイの向きを特定することのできる携帯端末及び表示方法を提供することを目的とする。
【課題を解決するための手段】
【０００７】
上記目的を達成するために、本発明は、第１ディスプレイと第２ディスプレイとを有し、前記第１ディスプレイと前記第２ディスプレイとで形成され且つ長辺が前記第１ディスプレイの一短辺と前記第２ディスプレイの一短辺とからなる結合ディスプレイで表示を行う第１形態と、前記第１ディスプレイを備える筐体に前記第２ディスプレイを備える筐体を重ねて前記第２ディスプレイのみで表示を行う第２形態とに変更自在である携帯端末であって、形態が前記第１形態であるか前記第２形態であるかを検知する第１検知部と、水平面における前記第２ディスプレイの一辺の傾きを、０度から９０度までの範囲で、検知する第２検知部と、前記第１検知部で第１形態であることが検知されると、前記第２検知部で検知された傾きにより示される角度に９０度を加算することにより、前記傾きの補正を行う補正部と、検知又は補正された前記傾きに基づいて、前記結合ディスプレイによる表示及び前記第２ディスプレイのみによる表示のいずれであるかを決定し、検知又は補正された前記傾きに基づいて、縦長表示及び横長表示のいずれの表示方法を用いるべきかを決定し、決定した前記ディスプレイにおいて、決定した前記表示方法により、検知又は補正された前記傾きに基づいて、画像の表示角度を修正して、当該画像の表示を行う表示処理部とを備えることを特徴とする。
【発明の効果】
【０００８】
この構成によると、携帯端末は、２つのディスプレイを１つの大きなディスプレイとして用いる場合と１つのディスプレイのみを用いる場合とにおいて、検知された１つのディスプレイの一辺の向きから、２つのディスプレイを用いた大きなディスプレイの向きを特定することができる。
【図面の簡単な説明】
【０００９】
【図１】（ａ）は携帯電話機１００の第２形態時の斜視図であり、（ｂ）は第１形態時の斜視図であり、（ｃ）は第１形態時の平面図である。
【図２】携帯電話機１００の変形動作を示す側面図である。
【図３】携帯電話機１００の構成を示すブロック図である。
【図４】傾き検知部３０１を説明するための図である。
【図５】第２形態時における第２ディスプレイ５００の画素の座標系を説明する図である。
【図６】第１形態時における結合ディスプレイの画素の座標系を説明する図である。
【図７】補正処理についての動作を示す流れ図である。
【図８】表示切替処理についての動作を示す流れ図である。
【発明を実施するための形態】
【００１０】
１．実施の形態
１．１  概要
以下、本発明に係る携帯通信端末の一実施形態として、第１形態と第２形態とに形態変更自在な携帯電話機１００について説明する。
図１（ａ）は第２形態の携帯電話機１００の斜視図であり、図１（ｂ）、（ｃ）それぞれは第１形態の携帯電話機１００の斜視図及び平面図である。
【００１１】
図１（ａ）、（ｂ）に示されるように、携帯電話機１００は、第１筐体１１０、第２筐体１２０、及び第１筐体１１０と第２筐体１２０とを接続するアーム１３０から構成されている。
アーム１３０は、その基端側が第１筐体１１０に回転自在に軸支されており、先端側が第２筐体１２０をスライド移動並びに回転自在に支持している。従って、携帯電話機１００は、第１筐体１１０と第２筐体１２０とが相対回動するだけでなく、図１（ａ）に示す第２形態と図１（ｂ）に示す第１形態とに形態を自在に変形することができる。
【００１２】
なお、第１形態とは、図１（ｂ）に示すように、第１筐体１１０の主表面と第２筐体１２０の主表面とで１つの平面を形成するように、第１筐体１１０の１つの側面（ここでは、第１筐体１１０の長辺を含む側面）と第２筐体１２０の１つの側面（ここでは、第２筐体１２０の長辺を含む側面）とが互いに接触する形態のことをいう。また、第２形態とは、図１（ａ）に示すように、第１筐体１１０のと第２筐体１２０とが互いに重ね合わせられた形態、つまり第１筐体１１０の主表面と第２筐体１２０の裏面とが互いに接触する形態をいう。
【００１３】
さらに、図１（ｃ）に示すように、携帯電話機１００は、第１形態時においては、第１筐体１１０に備えられる第１ディスプレイ４００の表示面と第２筐体１２０に備えられる第２ディスプレイ５００の表示面とが互いに同一平面上において近接する状態となり、これらディスプレイを合わせて１つの大きな表示面として利用する。なお、第２形態においては、携帯電話機１００は、第２ディスプレイ５００の表示面のみを利用して、画像等を表示する。以下において、第１ディスプレイと第２ディスプレイとを合わせた大きなディスプレイを結合ディスプレイという。
【００１４】
また、各ディスプレイの短辺を１とした場合、長辺ｘは１＜ｘ＜２の範囲内であるとする。つまり、第２ディスプレイ５００の表示面の長辺と短辺の関係と、結合ディスプレイの表示面の長辺と短辺の関係とは、逆になる。なぜなら、上述した長辺と短辺の長さの関係により、結合ディスプレイの表示面を形成する各辺は、ディスプレイの長辺と、短辺の和からなる辺（以下、結合辺）となる。結合ディスプレイの表示面においては、上記に示す長辺と短辺との関係により、短辺を１とすると結合辺は２となり、長辺ｘ（１＜ｘ＜２）より長くなるからである。
【００１５】
ここで、図２を用いて、携帯電話機１００のユーザが形態を変更する場合における、過渡的な携帯電話機１００の形態を段階的に説明する。
同図に示されるように、ユーザは、携帯電話機１００を第２形態から第１形態へ変形する場合に、まず、第２筐体１２０の主平面の向きを保ったまま、第２筐体１２０をアーム１３０の第１筐体１１０側の支点を中心にして右回りに回転させる（図３の変形中形態１参照）。
【００１６】
ユーザは、第２筐体１１０の回転を継続させ、第２筐体１２０の主表面が、第１筐体１１０の主表面と同一平面となる位置まで第２筐体１２０を回転させる（図３の変形中形態２参照）。
最後に、ユーザは、第１筐体１１０の主表面と第２筐体１２０の主表面とが同一平面となる状態において、第２筐体１２０を第１筐体１１０側へスライドさせることで（図３の変形中形態２参照）、携帯電話機１００を第２形態とする。
【００１７】
以下、携帯電話機１００の機能的な構成要素の詳細について、図面を参照しながら説明する。なお、以下の説明において、携帯電話機１００の長辺を縦、短辺を横と表記して説明する。
１．２  構成
ここでは、携帯電話機１００における画像等の表示機能についての構成について説明する。
【００１８】
携帯電話機１００の表示機能は、図３に示すように、傾き検知部３０１、形態検知部３０２、補正部３０３、表示処理部３０４、第１ディスプレイ４００及び第２ディスプレイ５００から構成されている。
なお、携帯電話機１００は、図３においては、表示機能に係る構成要素のみを示しているが、図１（ｃ）に示すスピーカー１２１やマイク１２２、その他キー操作部及び通信機能に係る構成要素など、携帯電話機としての機能を備えている。
【００１９】
（１）傾き検知部３０１
傾き検知部３０１は、例えば加速度センサーであり、携帯電話機１００の係る重力を検知し、検知した重力加速度をもとに携帯電話機の縦横の向きを特定するものである。
図４（ａ）に示すように、携帯電話機１００のスピーカー１２１を上端２０１とし、マイク１２２を下端２０２とした場合、図の向きにｘ軸、ｙ軸及びｚ軸をとる。なお、スピーカー１２１を上端２０１とし、マイク１２２を下端２０２とした場合の携帯電話機１００の姿勢を標準姿勢と呼ぶ。
【００２０】
図４（ａ）において、携帯電話機１００をｘ軸を回転軸として回転させるとｙ軸成分が発生し、ｙ軸を回転軸として回転させるとｘ軸成分が発生する。さらに、ｚ軸を回転軸として回転させると、ｘ軸成分及びｙ軸成分の双方が発生する。傾き検知部３０１は、この発生したｘ軸成分及びｙ軸成分により示される２次元ベクトルの向きを検出する。言い換えると、発生したｘ軸成分及びｙ軸成分により示される角度θを算出する。ここで、算出（検出）される角度の範囲は、０度から９０度までとする。また、ｘ軸成分とｙ軸成分とからなる２次元ベクトルの向きは、第２形態時における携帯電話機１００の第２筐体１２０の一短辺、つまり第２ディスプレイ５００の一短辺の向きと一致する。
【００２１】
例えば、図４（ｂ）は、携帯電話機１００をｚ軸を回転軸として回転した場合を示すものである。このとき、傾き検知部３０１は、発生するｘ軸成分及びｙ軸成分によりｔａｎθ＝ｙ軸成分／ｘ軸成分を満たすθを算出する。
例えば、x軸成分、ｙ軸成分のうちｙ軸成分のみが発生する場合にはθとして９０度が算出され、ｘ軸成分のみが発生する場合にはθとして０度が算出される。
【００２２】
（２）形態検知部３０２
形態検知部３０２は、携帯電話機１００の形態が第１形態であるか、第２形態であるかを検知するものである。
具体的には、第１筐体１１０の主表面と第２筐体１２０の主表面とで１つの平面を形成するために接触する第１筐体１１０の１つの側面と、第２筐体１２０の１つの側面との接触を検知する第１センサーと、第１筐体１１０の主表面と第２筐体１２０の裏面との接触を検知する第２センサーとを有している。
【００２３】
形態検知部３０２は、第１センサーが接触を検知している場合には携帯電話機１００の形態は第１形態であると特定し、第２センサーが接触を検知している場合には携帯電話機１００の形態は第２形態であると特定する。なお、両センサーとも接触を検知していない場合には、形態の変形中であると特定する。
（３）補正部３０３
補正部３０３は、携帯電話機１００が第１形態である場合において、傾き検知部３０１で算出された角度θに９０度を加算することで、２次元ベクトルの向きを補正するものである。
【００２４】
第２形態において、発生するｘ軸成分とｙ軸成分とからなる２次元ベクトルは、第２ディスプレイの短辺の向きを一致する。しかしながら、第１形態において、当該補正を行わない場合には、発生するｘ軸成分とｙ軸成分とからなる２次元ベクトルは、第２ディスプレイの短辺の向き、つまり結合辺の向きと一致、つまり結合ディスプレイの表示面を形成する辺のうち長い辺の向きと一致することとなる。これは、第１形態と第２形態とにおいて、２次元ベクトルと一致する辺の向きとの関係が逆となる。そこで、当該補正により、第１形態と第２形態とにおいて、この関係が一致するようにすることができる。また、補正により得られる角度は、９０度から１８０度となる。つまり、補正がされない場合と含めて、補正部３０３では、０度から１８０度の範囲が扱われることとなる。
【００２５】
（４）表示処理部３０４
表示処理部３０４は、携帯電話機１００の形態、及び向きに応じて、表示すべき画像の表示形態を特定し、画像を特定した表示形態で表示すべきディスプレイで表示するよう制御するものである。
表示処理部３０４は、表示すべき画像を一時的に保持するバッファを有している。当該バッファ内の格納位置を示すアドレスと、第１ディスプレイ及び第２ディスプレイそれぞれにおける画素位置を示す座標とが対応付けられている。
【００２６】
図５（ａ）に示すように、第２形態での標準姿勢時において、表示処理部３０４は、第２ディスプレイ５００の画素の先頭位置を示す座標（０、０）を、表示すべき画像の開始位置とし、座標（Ｘ１、Ｙ１）を終了位置として、バッファに当該画像を保持し、その後第２ディスプレイ５００の表示面に表示させる。なお、当該表示形態を第２形態での縦長表示という。なお、この場合、傾き検知部３０１で発生しているｘ軸成分とｙ軸成分とからなる角度θは補正されていない。つまり、ｘ軸成分とｙ軸成分から定まる２次元ベクトルと第２ディスプレイの一短辺とは同じ向きとなっている。
【００２７】
また、図５（ｂ）に示すように、第２形態であって標準姿勢から左回りに９０度回転している場合には、表示処理部３０４は、第２ディスプレイ５００の座標（Ｘ１、０）を、表示すべき画像の開始位置とし、座標（０、Ｙ１）を終了位置として、バッファに当該画像を保持し、その後第２ディスプレイ５００の表示面に表示させる。なお、当該表示形態を第２形態での横長表示という。なお、この場合も上記と同様に、傾き検知部３０１で発生しているｘ軸成分とｙ軸成分とからなる角度θは補正されていない。つまり、ｘ軸成分とｙ軸成分から定まる２次元ベクトルと第２ディスプレイの一短辺とは同じ向きとなっている。
【００２８】
ここで、例えば表示する画像がベクター形式であるとし、画像を表示すべき命令を行った外部要因から出力される情報は第２形態での標準姿勢で出力するものであるとする。この場合、第２形態である携帯電話機１００が縦長の表示を行う際には、受け取った情報で示されるベクトルそのものを用いて表示処理を行い、横長の表示を行う場合には、表示処理部３０４は、受け取った情報で示されるベクトルの向きを９０度回転させて表示を行う。
【００２９】
図６（ａ）に示すように、第１形態であって標準姿勢から左回りに９０度回転している場合には、表示処理部３０４は、第２ディスプレイ５００の座標（Ｘ１、０）を、表示すべき画像の開始位置とし、第１ディスプレイ４００の座標（Ｘ２、Ｙ２）を終了位置として、バッファに当該画像を保持し、その後第１ディスプレイと第２ディスプレイを合わせた表示面に表示させる。なお、当該表示形態を第１形態での縦長表示という。なお、この場合、傾き検知部３０１で発生しているｘ軸成分とｙ軸成分とからなる角度θに９０度加算される。つまり、補正後の２次元ベクトルと第２ディスプレイの一短辺とは同じ向きとはならず、結合ディスプレイを形成する一短辺と同じ向きとなる。
【００３０】
図６（ｂ）に示すように、第１形態での標準姿勢時において、表示処理部３０４は、第１ディスプレイ４００の座標（Ｘ２、０）を、表示すべき画像の開始位置とし、第２ディスプレイ５００の座標（Ｘ１、Ｙ１）を終了位置として、バッファに当該画像を保持し、その後第１ディスプレイと第２ディスプレイを合わせた表示面に表示させる。なお、当該表示形態を第１形態での横長表示という。なお、この場合も上記と同様に、傾き検知部３０１で発生しているｘ軸成分とｙ軸成分とからなる角度θに９０度加算される。つまり、補正後の２次元ベクトルと第２ディスプレイの一短辺とは同じ向きとはならず、結合ディスプレイを形成する一短辺と同じ向きとなる。
【００３１】
ここで、上記と同様に表示する画像がベクター形式であるとし、画像を表示すべき命令を行った外部要因から出力される情報は第２形態での標準姿勢で出力するものであるとする。この場合、第１形態である携帯電話機１００が縦長の表示を行う際には、受け取った情報で示されるベクトルそのものを用いて表示処理を行い、横長の表示を行う場合には、表示処理部３０４は、受け取った情報で示されるベクトルの向きを９０度回転させて表示を行う。なお、このとき、表示領域は、第２形態時の表示領域より大きいので、表示すべき画像を拡大してもよい。
【００３２】
（５）第１ディスプレイ４００
第１ディスプレイ４００は、第１形態時において、表示処理部３０４で当該携帯電話機１００の向きに応じて表示形態が制御された画像の一部を表示する。なお、残りの画像は第２ディスプレイ５００で表示される。
（６）第２ディスプレイ５００
第２ディスプレイ５００は、第１形態時において、表示処理部３０４で当該携帯電話機１００の向きに応じて表示形態が制御された画像の一部を表示する。なお、残りの画像は第１ディスプレイ４００で表示される。
【００３３】
また、第２ディスプレイ５００は、第２形態時において、表示処理部３０４で当該携帯電話機１００の向きに応じて表示形態が制御された画像を表示する。
１．３  動作
ここでは、携帯電話機１００における画像等の表示に係る動作について説明する。
（１）補正処理
ここでは、傾き検知部３０１で検出された角度θに対する補正処理について、図７に示す流れ図を用いて説明する。
【００３４】
傾き検知部３０１は、携帯電話機１００に対する角度θを検出（算出）する（ステップＳ５）。
形態検知部３０２は、携帯電話機１００の形態が第１形態であるか、第２形態であるかを判別する（ステップＳ１０）。
形態検知部３０２にて形態が第１形態であると判別した場合には（ステップＳ１０における「第１形態」）、補正部３０３は、検出された角度θに対して左回りに９０度補正する（ステップＳ１５）。その後、補正部３０３は、補正後の角度を制御用角度として表示処理部３０４へ出力する（ステップＳ２０）。
【００３５】
形態検知部３０２にて形態が第２形態であると判別した場合には（ステップＳ１０における「第２形態」）、補正部３０３は、検出された角度θを制御用角度として表示処理部３０４へ出力する（ステップＳ３０）。
（２）表示処理
ここでは、画像等の表示の切替に係る表示処理について、図８に示す流れ図を用いて説明する。
【００３６】
表示処理部３０４は、補正部３０３から出力された制御用角度が０度以上３０度以下であるか否かを判断する（ステップＳ１００）。
制御用角度が０度以上３０度以下であると判断する場合（ステップＳ１００における「Ｙｅｓ」）、表示処理部３０４は、現在の表示状態が横長表示であるか、縦長表示であるかを判別する（ステップＳ１０５）。具体的には、表示処理部３０４は、表示形態を判別するためのフラグを有しており、フラグが示す値が「０」である場合には縦長表示であることを、フラグが示す値が「１」である場合には横長表示であることをそれぞれ示す。
【００３７】
フラグの値が０でないと判断する場合（ステップＳ１０５における「Ｎｏ」）、表示処理部３０４は、画像の表示方法を、第２ディスプレイ５００のみで縦長表示するよう変更する（ステップＳ１１０）。その後、表示処理部３０４は、フラグの値を０に設定し（ステップＳ１１５）、ステップＳ１００の処理へと戻る。
フラグの値が０であると判断する場合には（ステップＳ１０５における「Ｙｅｓ」）、表示処理部３０４の処理は、ステップＳ１００へ戻る。
【００３８】
制御用角度が０度以上３０度以下でないと判断する場合（ステップＳ１００における「Ｎｏ」）、表示処理部３０４は、制御用角度が６０度以上９０度以下であるか否かを判断する（ステップＳ１２０）。
制御用角度が６０度以上９０度以下であると判断する場合（ステップＳ１２０における「Ｙｅｓ」）、表示処理部３０４は、フラグの値が０であるか否かを判別する（ステップＳ１２５）。
【００３９】
フラグの値が０であると判断する場合（ステップＳ１２５における「Ｙｅｓ」）、表示処理部３０４は、画像の表示方法を、第２ディスプレイ５００のみで横長表示するよう変更する（ステップＳ１３０）。その後、表示処理部３０４は、フラグの値を１に設定し（ステップＳ１３５）、ステップＳ１００の処理へと戻る。
フラグの値が０でないと判断する場合には（ステップＳ１２５における「Ｎｏ」）、表示処理部３０４の処理は、ステップＳ１００へ戻る。
【００４０】
制御用角度が６０度以上９０度以下でないと判断する場合（ステップＳ１２０における「Ｎｏ」）、表示処理部３０４は、制御用角度が９０度以上１２０度以下であるか否かを判断する（ステップＳ１４０）。
制御用角度が９０度以上１２０以下であると判断する場合（ステップＳ１４０における「Ｙｅｓ」）、表示処理部３０４は、フラグの値が０であるか否かを判別する（ステップＳ１４５）。
【００４１】
フラグの値が０であると判断する場合（ステップＳ１４５における「Ｙｅｓ」）、表示処理部３０４は、画像の表示方法を、結合ディスプレイで横長表示するよう変更する（ステップＳ１５０）。その後、表示処理部３０４は、フラグの値を１に設定し（ステップＳ１５５）、ステップＳ１００の処理へと戻る。
フラグの値が０でないと判断する場合には（ステップＳ１４５における「Ｎｏ」）、表示処理部３０４の処理は、ステップＳ１００へ戻る。
【００４２】
制御用角度が９０度以上１２０度以下でないと判断する場合（ステップＳ１４０における「Ｎｏ」）、表示処理部３０４は、制御用角度が１５０度以上１８０度以下であるか否かを判断する（ステップＳ１６０）。
制御用角度が１５０度以上１８０度以下であると判断する場合（ステップＳ１６０における「Ｙｅｓ」）、表示処理部３０４は、フラグの値が０であるか否かを判別する（ステップＳ１６５）。
【００４３】
フラグの値が０でないと判断する場合（ステップＳ１６５における「Ｎｏ」）、表示処理部３０４は、画像の表示方法を、結合ディスプレイで縦長表示するよう変更する（ステップＳ１７０）。その後、表示処理部３０４は、フラグの値を１に設定し（ステップＳ１７５）、ステップＳ１００の処理へと戻る。
フラグの値が０であると判断する場合には（ステップＳ１６５における「Ｎｏ」）、表示処理部３０４の処理は、ステップＳ１００へ戻る。
【００４４】
制御用角度が１５０度以上１８０度以下でないと判断する場合（ステップＳ１６０における「Ｎｏ」）、表示処理部３０４の処理は、ステップＳ１００へ戻る。
１．４  変形例
以上、実施の形態に基づいて説明したが、本発明は上記の実施に限られない。例えば、以下のような変形例が考えられる。
【００４５】
（１）上記実施の形態において、補正時には、算出した角度θに９０度を加算するものとしたが、これに限定されない。
算出した角度θに９０度減算する補正であってもよい。この場合、補正部３０３で扱われる角度は、−９０度以上９０度以下の範囲となる。特に、第１形態時においては、−９０度以上から０度以下の範囲となる。
【００４６】
（２）傾き検知部３０１で検出される角度θは０度以上９０度以下の範囲としたが、これに限定されない。検出角度は０度以上３６０度以下の範囲であってもよいし、０度以上１８０度以下の範囲であってもよい。
例えば、検出角度を０度以上３６０度以下の範囲とする場合について説明する。
まず、第２形態時における表示切替について説明する。制御用角度が９０度以上１２０度以下であり且つフラグが０である場合には、表示処理部３０４は表示態様を第２ディスプレイ５００のみを用いた横長表示に変更し、制御用角度が１５０度以上１８０度以下であり且つフラグが１である場合には、表示処理部３０４は表示態様を第２ディスプレイ５００のみを用いた縦長表示に変更する。制御用角度が１８０度以上２１０度以下であり且つフラグが１である場合には、表示処理部３０４は表示態様を第２ディスプレイ５００のみを用いた縦長表示に変更し、制御用角度が２４０度以上２７０度以下であり且つフラグが０である場合には、表示処理部３０４は表示態様を第２ディスプレイ５００のみを用いた横長表示に変更する。制御用角度が２７０度以上３００度以下であり且つフラグが１である場合には、表示処理部３０４は表示態様を第２ディスプレイ５００のみを用いた縦長表示に変更し、制御用角度が３３０度以上３６０度以下であり且つフラグが０である場合には、表示処理部３０４は表示態様を第２ディスプレイ５００のみを用いた横長表示に変更する。
【００４７】
次に、第１形態時における表示切替について説明する。制御用角度が１８０度以上２１０度以下であり且つフラグが１である場合には、表示処理部３０４は表示態様を結合ディスプレイを用いた縦長表示に変更し、制御用角度が２４０度以上２７０度以下であり且つフラグが０である場合には、表示処理部３０４は表示態様を結合ディスプレイを用いた横長表示に変更する。制御用角度が２７０度以上３００度以下であり且つフラグが０である場合には、表示処理部３０４は表示態様を結合ディスプレイを用いた横長表示に変更し、制御用角度が３３０度以上３６０度以下であり且つフラグが１である場合には、表示処理部３０４は表示態様を結合ディスプレイを用いた縦長表示に変更する。制御用角度が０度以上３０度以下であり且つフラグが１である場合には、表示処理部３０４は表示態様を結合ディスプレイを用いた縦長表示に変更し、制御用角度が６０度以上９０度以下であり且つフラグが０である場合には、表示処理部３０４は表示態様を結合ディスプレイを用いた横長表示に変更する。
【００４８】
（３）上記実施の形態において、傾き検知部３０１は加速度センサーと説明したが、これに限定されない。
傾き検知部３０１は、ジャイロセンサー（角速度センサー）であってもよい。
この場合、傾き検知部３０１は、当該端末の角速度を検知し、検知した角速度から特定される第２ディスプレイの長辺の方向又は短辺の方向を示す方向ベクトルを示すｘ軸成分及びｙ軸成分で定まる角度θを検出する。
【００４９】
また、傾き検知部３０１は、加速度センサーやジャイロセンサーに限らず、第２ディスプレイの主平面での一辺の傾きを検知できる機構であればよい。
（４）上記実施の形態において、画像を縦長表示する場合と横長表示する場合とにおいて、画像の縦横の比を変更することなく表示してもよい。
または、表示するディスプレイ（第２ディスプレイのみ、若しくは結合ディスプレイ）の縦横の比に応じて、画像を拡大縮小して表示してもよい。
【００５０】
（５）第１形態時における補正は、画像等の表示処理を行っているＡＰ（アプリケーションプログラム）が行ってもよいし、ＯＳ（オペレーティングシステム）とＡＰの間に介在するミドルウェアで行ってもよい。
ミドルウェアが補正を行う場合には、補正後の結果をＡＰに通知することとなり、ＡＰにおいて受け取った結果に応じて表示態様を特定する。
【００５１】
（６）上記実施の形態において、傾き検知部３０１は第２筐体１２０の一短辺、つまりは第２ディスプレイ５００の一短辺の傾きを検知するものとしたが、これに限定されない。
傾き検知部３０１は、第２筐体１２０の一長辺、つまりは第２ディスプレイ５００の一長辺の傾きを検知するとしてもよい。
【００５２】
（７）上記実施の形態において、表示すべき画像はベクター形式であるとしたが、これに限定されない。
表示すべき画像は、ビットマップ形式であってもよい。この場合、画像の表示命令を出力する外部要因からの情報は、第２形態時での縦長表示を行うものとすると、横長表示では、受け取った情報を基に、画像を９０度回転するよう補正する。
【００５３】
（８）上記実施の形態のおいて、補正に用いる値は９０度としたが、これに限定されない。補正に用いる値は、９０度に限らず他の値であってもよい。
（９）実施の形態で示す各機能要素は、携帯電話機１００が有するプロセッサと協働することにより、その機能を実現する。
（１０）上記実施の形態において、本発明の携帯端末の一例として携帯電話機を用いて説明したが、これに限定されない。本発明の端末装置は、携帯電話機に限るものではなく、携帯型の装置であれば、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙ−ｐｈｏｎｅ  Ｓｙｓｔｅｍ）、音楽プレーヤ、電子ブック、ゲーム機、パーソナルコンピュータ等であってもよい。
【００５４】
（１１）本発明に係る補正方法は、例えば実施の形態に示した補正処理により実現される（特に図７で示す補正処理の手順を参照）。
（１２）上記の実施の形態及び変形例で説明した手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【００５５】
また、当該手法の手順を記述したプログラムを記録媒体に格納して、頒布するようにしてもよい。なお、上記プログラムを記憶する媒体としては、例えば、フラッシュメモリや、ＵＳＢメモリやＳＤカード（登録商標）などの外部メモリを一例として挙げることができる。
（１３）上記実施の形態及び上記変形例をそれぞれ組み合わせるとしてもよい。
【００５６】
１．５  補足
（１）本発明の一態様である、第１ディスプレイと第２ディスプレイとを有し、前記第１ディスプレイと前記第２ディスプレイとで形成され且つ長辺が前記第１ディスプレイの一短辺と前記第２ディスプレイの一短辺とからなる結合ディスプレイで表示を行う第１形態と、前記第１ディスプレイを備える筐体に前記第２ディスプレイを備える筐体を重ねて前記第２ディスプレイのみで表示を行う第２形態とに変更自在である携帯端末は、形態が前記第１形態であるか前記第２形態であるかを検知する第１検知部と、前記第２ディスプレイの一辺の傾きを検知する第２検知部と、前記第１検知部で第１形態であることが検知されると、前記第２検知部で検知された傾きの補正を行う補正部と、前記第１形態である場合には前記補正部で補正された傾きで示される当該携帯端末の向きに基づいた前記結合ディスプレイの長辺及び短辺の向きに応じて画像の表示、及び前記第２形態である場合には前記第２検知部で検知された傾きで示される当該携帯端末の向きに基づいた前記第２ディスプレイの長辺及び短辺の向きに応じて画像の表示を行う表示処理部とを備えることを特徴とする。
【００５７】
この構成によると、携帯端末は、２つのディスプレイを１つの大きなディスプレイとして用いる場合と１つのディスプレイのみを用いる場合とにおいて、検知された１つのディスプレイの一辺の向きから、２つのディスプレイを用いた大きなディスプレイの向きを特定することができる。なぜなら、結合ディスプレイの長辺と短辺のそれぞれの向きと、第２ディスプレイの長辺と短辺の向きとは、約９０度ずれているので、例えば、第２ディスプレイの長辺の向きを、例えば９０度補正すると、補正後の向きは結合ディスプレイでの長辺の向きとなるからである。したがって、携帯端末は、結合ディスプレイで表示する場合には補正後の２次ベクトルの向きを用いることで、第２ディスプレイのみで長辺及び短辺の向きに応じて表示する場合と同一の表示を行うことができる。
【００５８】
（２）ここで、前記第２検知部は、当該携帯端末の傾きを示す方向ベクトルについての第２ディスプレイの主表面での２次元ベクトルの向きを前記傾きとして検知し、前記補正部は、前記第２検知部で検知された２次元ベクトルの向きを回転させ、前記表示処理部は、前記第１形態である場合には前記補正部で補正された２次元ベクトルの向きに基づいた前記結合ディスプレイでの画像の表示、及び前記第２形態である場合には前記第２検知部で検知された２次元ベクトルの向きに基づいた前記第２ディスプレイでの画像の表示を行うとしてもよい。
【００５９】
この構成によると、携帯端末は、２次元ベクトルを用いることで、第２ディスプレイの主表面の一辺の向きを容易に特定することができる。
（３）ここで、前記表示処理部は、前記第２検知部で検知された２次元ベクトルがなす角度が所定範囲内である場合には、表示すべき画像の向きを回転させ、前記第１形態が検知されている場合には前記結合ディスプレイに回転後の前記画像を表示し、前記第２形態が検知されている場合には前記第２ディスプレイのみで回転後の前記画像を表示するとしてもよい。
【００６０】
この構成によると、携帯端末は、検知された２次元ベクトルがなす角度に応じて表示すべき画像を回転して表示するので、第２ディスプレイ若しくは結合ディスプレイの向きに関わらず、ユーザにとって見易い状態で画像を表示することができる。
（４）ここで、前記所定値の範囲内とは、前記２次元ベクトルがなす角度が６０度以上９０度以下であるとしてもよい。
【００６１】
この構成によると、携帯端末は、２次元ベクトルのなす角度が６０度以上９０度以下である場合に表示すべき画像を、例えば９０度回転させる。これは、上記範囲内では長辺及び短辺に対する縦横の関係が入れ替わったとみなすことができるので、ユーザにとって見易い状態で画像を表示することができる。
（５）ここで、前記表示処理部は、前記画像を回転させて表示させる際に、当該画像の長辺と短辺との比を維持したまま表示させるとしてもよい。
【００６２】
この構成によると、携帯端末は、画像の長辺と短辺との比を変更することなく表示するので、画像を拡大縮小して表示する場合に生じる色合いのぼけや、細部の見ずらさを防止することができる。
（６）ここで、前記第２検知部は、加速度センサーであり、前記方向ベクトルは、当該端末の鉛直方向を示すものであり、前記２次元ベクトルは、前記方向ベクトルを前記第２ディスプレイの主表面上に射影したものであるとしてもよい。
【００６３】
または、前記第２検知部は、ジャイロセンサーであり、当該端末の角速度を検知し、検知した角速度から特定される第２ディスプレイの長辺の方向又は短辺の方向を示す方向ベクトルを前記２次元ベクトルとするとしてもよい。
この構成によると、携帯端末は、各種センサーを用いることで、第２ディスプレイの向きを検知することができる。
【産業上の利用可能性】
【００６４】
本発明は、第１ディスプレイ及び第２ディスプレイを並べて１つの大きなディスプレイとして画像等を表示する形態と、第２ディスプレイのみで表示する形態とに変形自在な携帯端末に利用することができる。
【符号の説明】
【００６５】
１００    携帯電話機
１１０    第１筐体
１２０    第２筐体
１２１    スピーカー
１２２    マイク
１３０    アーム
３０１    傾き検知部
３０２    形態検知部
３０３    補正部
３０４    表示処理部
４００    第１ディスプレイ
５００    第２ディスプレイ
【図１】
0005827013.tif 000002
【図２】
0005827013.tif 000003
【図３】
0005827013.tif 000004
【図４】
0005827013.tif 000005
【図５】
0005827013.tif 000006
【図６】
0005827013.tif 000007
【図７】
0005827013.tif 000008
【図８】
0005827013.tif 000009